【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
扁平形状に形成され、熱交換対象物と熱交換する熱媒体が内部を流通する流路管（３）と、
前記流路管の内部に配置され、熱交換対象物と熱媒体との伝熱面積を増大させるインナーフィン（３４）と、を備え、
前記インナーフィンは、前記熱媒体が流通する主流路を複数の細流路に分割する複数のウェーブフィン（３４０ｃ）と、前記ウェーブフィンに接続された案内壁（３７）とを有し、
前記ウェーブフィンは、前記流路管の長手方向であるｘ方向に垂直でかつ前記流路管の厚み方向であるｚ方向に垂直なｙ方向の一方側に向かって凸の形状とされた第１凸部（３４０ｄ）と、前記ｙ方向の他方側に向かって凸の形状とされた第２凸部（３４０ｅ）とが中間部（３４０ｆ）を介して交互に並ぶことにより、前記ｚ方向に垂直な断面形状が波形状とされており、
前記ウェーブフィンに、前記複数の細流路のうち前記ウェーブフィンを挟んで隣り合う２つの細流路を連結する開口部（３６）が形成されており、
前記案内壁は、前記ウェーブフィンの前記開口部の周りの端部のうち、隣り合う２つの細流路のうち一方の細流路における前記熱媒体の流れの下流側に位置する部分に接続され、前記ウェーブフィンから前記一方の細流路に突出し、先端が前記一方の細流路における前記熱媒体の流れの上流側に対向しているか、または、前記ウェーブフィンの前記開口部の周りの端部のうち、前記一方の細流路における前記熱媒体の流れの上流側に位置する部分に接続され、前記ウェーブフィンから前記一方の細流路に突出し、先端が前記一方の細流路における前記熱媒体の流れの下流側に対向しており、
前記複数の細流路それぞれにおいて、前記ｙ方向における細流路の幅が前記ｚ方向において変化することにより、所定の幅よりも幅が狭い第１領域（Ｒ３）と、前記所定の幅よりも幅が広い第２領域（Ｒ４）とが形成されており、
前記開口部は複数の前記ウェーブフィンのうち少なくとも２つのウェーブフィンに形成されており、
前記２つのウェーブフィンのうちの一方に形成された前記開口部は、前記ｚ方向の一方側よりも他方側で大きく開口しており、他方に形成された前記開口部は、前記ｚ方向の他方側よりも一方側で大きく開口している熱交換器。
【請求項２】
前記ｚ方向の一方側よりも他方側で大きく開口した前記開口部と、前記ｚ方向の他方側よりも一方側で大きく開口した前記開口部とが、前記ｙ方向において交互に並んでいる請求項１に記載の熱交換器。
【請求項３】
前記案内壁の先端が前記熱媒体の流れの上流側に対向しているとき、前記熱媒体が前記開口部を通って隣り合う２つの細流路のうち一方の前記第１領域から他方の前記第２領域に流れ、前記案内壁の先端が前記熱媒体の流れの下流側に対向しているとき、前記熱媒体が前記開口部を通って隣り合う２つの細流路のうち一方の前記第２領域から他方の前記第１領域に流れるように、前記開口部が、前記ｚ方向の一方側よりも他方側で大きく開口するか、または、前記ｚ方向の他方側よりも一方側で大きく開口している請求項１または２に記載の熱交換器。
【請求項４】
前記開口部が前記第２凸部に形成されており、
前記ウェーブフィンのうち連続するそれぞれ１つの前記第１凸部、前記中間部、前記第２凸部に含まれる部分と、該第２凸部に接続された前記案内壁とで構成される部分の、前記ｙ方向の一方側の表面において、前記ｙ方向の一方側の最も外側に位置する部分と、前記ｙ方向の他方側の最も外側に位置する部分との間の、前記ｙ方向における距離をｄ１とし、
前記ウェーブフィンのうち連続するそれぞれ１つの前記第１凸部、前記中間部、前記第２凸部に含まれる部分の、前記ｙ方向の一方側の表面において、前記ｙ方向の一方側の最も外側に位置する部分と、前記ｙ方向の他方側の最も外側に位置する部分との間の、前記ｙ方向における距離をｄ２としたとき、
前記案内壁が前記ウェーブフィンから前記ｙ方向の他方側に突出することにより、前記距離ｄ３が前記距離ｄ２よりも大きくされている請求項１ないし３のいずれか１つに記載の熱交換器。
【請求項５】
前記第２凸部の前記開口部の周りの端部のうち前記案内壁とは反対側の端部から前記中間部に至る部分の前記ｚ方向に垂直な断面形状が、前記ｙ方向の他方側に向かって凸となるように丸みを帯びた形状とされている請求項４に記載の熱交換器。
【請求項６】
前記開口部が前記第１凸部に形成されており、
前記ウェーブフィンのうち連続するそれぞれ１つの前記第１凸部、前記中間部、前記第２凸部に含まれる部分と、該第１凸部に接続された前記案内壁とで構成される部分の、前記ｙ方向の一方側の表面において、前記ｙ方向の一方側の最も外側に位置する部分と、前記ｙ方向の他方側の最も外側に位置する部分との間の、前記ｙ方向における距離をｄ３とし、
前記ウェーブフィンのうち連続するそれぞれ１つの前記第１凸部、前記中間部、前記第２凸部に含まれる部分の、前記ｙ方向の一方側の表面において、前記ｙ方向の一方側の最も外側に位置する部分と、前記ｙ方向の他方側の最も外側に位置する部分との間の、前記ｙ方向における距離をｄ４としたとき、
前記案内壁が前記ウェーブフィンから前記ｙ方向の一方側に突出することにより、前記距離ｄ３が前記距離ｄ４よりも大きくされている請求項１ないし５のいずれか１つに記載の熱交換器。
【請求項７】
前記第１凸部の前記開口部の周りの端部のうち前記案内壁とは反対側の端部から前記中間部に至る部分の前記ｚ方向に垂直な断面形状が、前記ｙ方向の一方側に向かって凸となるように丸みを帯びた形状とされている請求項６に記載の熱交換器。
【請求項８】
前記インナーフィンが、前記ウェーブフィンと、前記ｚ方向の一方の向きに凸の形状とされた頂部（３４０ａ）と、他方の向きに凸の形状とされた底部（３４０ｂ）とをそれぞれ複数有し、前記頂部と前記底部とが前記ウェーブフィンを介して交互に並ぶことにより、前記ｘ方向に垂直な断面形状が波形状とされている請求項１ないし７のいずれか１つに記載の熱交換器。
【請求項９】
前記案内壁の前記ｘ方向に垂直な断面形状が、前記頂部と前記底部とを接続する直線状とされており、
前記開口部の開口端のうち前記案内壁で構成される部分は、前記開口部の開口端のうち前記インナーフィンで構成される部分と異なる長さとされている請求項８に記載の熱交換器。
【請求項１０】
前記流路管が、対向する２つの外殻プレート（３１、３２）と、前記２つの外殻プレートの間において、前記２つの外殻プレートと対向するように配置された中間プレート（３３）と、を有し、前記インナーフィンが、前記２つの外殻プレートの一方と前記中間プレートとの間に配置されている請求項１ないし９のいずれか１つに記載の熱交換器。
【請求項１１】
前記インナーフィンは、板状を有する請求項１ないし１０のいずれか１つに記載の熱交換器。
【請求項１２】
扁平形状に形成され、熱交換対象物と熱交換する熱媒体が内部を流通する流路管（３）と、
前記流路管の内部に配置され、熱交換対象物と熱媒体との伝熱面積を増大させるインナーフィン（３４）と、を備え、
前記インナーフィンは、前記熱媒体が流通する主流路を複数の細流路に分割する複数のウェーブフィン（３４０ｃ）と、前記ウェーブフィンに接続された案内壁（３７）とを有し、
前記ウェーブフィンは、前記流路管の長手方向であるｘ方向に垂直でかつ前記流路管の厚み方向であるｚ方向に垂直なｙ方向の一方側に向かって凸の形状とされた複数の第１凸部（３４０ｄ）と、前記ｙ方向の他方側に向かって凸の形状とされた複数の第２凸部（３４０ｅ）とを有し、
前記ウェーブフィンは、前記ｚ方向に垂直な断面形状が波形状となるように前記第１凸部と前記第２凸部とが交互に並んでおり、
前記ウェーブフィンに、前記複数の細流路のうち前記ウェーブフィンを挟んで隣り合う２つの細流路を連結する開口部（３６）が形成されており、
前記案内壁は、前記細流路の前記熱媒体の流れ方向における、前記開口部の下流側または上流側を区画する前記ウェーブフィンの端部から前記細流路に突出しており、
前記複数の細流路それぞれにおいて、前記ｙ方向における細流路の幅が前記ｚ方向において変化することにより、所定の幅よりも幅が狭い第１領域（Ｒ３）と、前記所定の幅よりも幅が広い第２領域（Ｒ４）とが形成されており、
前記開口部は複数の前記ウェーブフィンのうち少なくとも２つのウェーブフィンに形成されており、
前記２つのウェーブフィンのうちの一方に形成された前記開口部は、前記ｚ方向の一方側よりも他方側で大きく開口しており、他方に形成された前記開口部は、前記ｚ方向の他方側よりも一方側で大きく開口している熱交換器。
【手続補正２】
【補正対象書類名】明細書
【補正対象項目名】０００８
【補正方法】変更
【補正の内容】
【０００８】
上記目的を達成するため、請求項１に記載の発明では、扁平形状に形成され、熱交換対象物と熱交換する熱媒体が内部を流通する流路管（３）と、流路管の内部に配置され、熱交換対象物と熱媒体との伝熱面積を増大させるインナーフィン（３４）と、を備え、インナーフィンは、熱媒体が流通する主流路を複数の細流路に分割する複数のウェーブフィン（３４０ｃ）と、ウェーブフィンに接続された案内壁（３７）とを有し、ウェーブフィンは、流路管の長手方向であるｘ方向に垂直でかつ流路管の厚み方向であるｚ方向に垂直なｙ方向の一方側に向かって凸の形状とされた第１凸部（３４０ｄ）と、ｙ方向の他方側に向かって凸の形状とされた第２凸部（３４０ｅ）とが中間部（３４０ｆ）を介して交互に並ぶことにより、ｚ方向に垂直な断面形状が波形状とされており、ウェーブフィンに、複数の細流路のうちウェーブフィンを挟んで隣り合う２つの細流路を連結する開口部（３６）が形成されており、案内壁は、ウェーブフィンの開口部の周りの端部のうち、隣り合う２つの細流路のうち一方の細流路における熱媒体の流れの下流側に位置する部分に接続され、ウェーブフィンから一方の細流路に突出し、先端が一方の細流路における熱媒体の流れの上流側に対向しているか、または、ウェーブフィンの開口部の周りの端部のうち、一方の細流路における熱媒体の流れの上流側に位置する部分に接続され、ウェーブフィンから一方の細流路に突出し、先端が一方の細流路における熱媒体の流れの下流側に対向しており、複数の細流路それぞれにおいて、ｙ方向における細流路の幅がｚ方向において変化することにより、所定の幅よりも幅が狭い第１領域（Ｒ３）と、所定の幅よりも幅が広い第２領域（Ｒ４）とが形成されており、開口部は複数のウェーブフィンのうち少なくとも２つのウェーブフィンに形成されており、２つのウェーブフィンのうちの一方に形成された開口部は、ｚ方向の一方側よりも他方側で大きく開口しており、他方に形成された開口部は、ｚ方向の他方側よりも一方側で大きく開口している。
また、請求項１２に記載の発明では、扁平形状に形成され、熱交換対象物と熱交換する熱媒体が内部を流通する流路管（３）と、流路管の内部に配置され、熱交換対象物と熱媒体との伝熱面積を増大させるインナーフィン（３４）と、を備え、インナーフィンは、熱媒体が流通する主流路を複数の細流路に分割する複数のウェーブフィン（３４０ｃ）と、ウェーブフィンに接続された案内壁（３７）とを有し、ウェーブフィンは、流路管の長手方向であるｘ方向に垂直でかつ流路管の厚み方向であるｚ方向に垂直なｙ方向の一方側に向かって凸の形状とされた複数の第１凸部（３４０ｄ）と、ｙ方向の他方側に向かって凸の形状とされた複数の第２凸部（３４０ｅ）とを有し、ウェーブフィンは、ｚ方向に垂直な断面形状が波形状となるように第１凸部と第２凸部とが交互に並んでおり、ウェーブフィンに、複数の細流路のうちウェーブフィンを挟んで隣り合う２つの細流路を連結する開口部（３６）が形成されており、案内壁は、細流路の熱媒体の流れ方向における、開口部の下流側または上流側を区画するウェーブフィンの端部から細流路に突出しており、複数の細流路それぞれにおいて、ｙ方向における細流路の幅がｚ方向において変化することにより、所定の幅よりも幅が狭い第１領域（Ｒ３）と、所定の幅よりも幅が広い第２領域（Ｒ４）とが形成されており、開口部は複数のウェーブフィンのうち少なくとも２つのウェーブフィンに形成されており、２つのウェーブフィンのうちの一方に形成された開口部は、ｚ方向の一方側よりも他方側で大きく開口しており、他方に形成された開口部は、ｚ方向の他方側よりも一方側で大きく開口している。